(57)【要約】ＨＤＤは、光ディスクにアーカイブされるコンテンツを記録する。アーカイブを容易にするために、ＨＤＤ上の記録は、コンテンツが光ディスクに記憶されるべきフォーマットを考慮する。ＨＤＤ記録段で、コンテンツのオーディオ及びビデオセグメントの適切な多重化が、ＨＤＤ段でメタデータを伝送するためのリカバリセグメントとして用いられている空のＮａｖＰａｃｋセグメントの挿入と共に起こる。メタデータは、アーカイブの前に除去される。この構成は、高速アーカイブをサポートし、コンテンツの質を維持する。
2006521657.tif 000002
【特許請求の範囲】
【請求項１】
光ディスクにコンテンツをアーカイブすることを可能にする方法であって、前記光ディスクのフォーマット規格に従って多重化された態様で前記コンテンツのセグメントをＨＤＤに記録することを可能にするステップを有する方法。
【請求項２】
請求項１に記載の方法において、前記ＨＤＤに記録するときにＮａｖＰａｃｋのために追加セグメントを確保するステップを有する方法。
【請求項３】
請求項２に記載の方法において、前記ＨＤＤに記録する前にメタデータを前記コンテンツから抽出するステップと、前記追加セグメントを使用して前記メタデータを記憶するステップとを有する方法。
【請求項４】
請求項３に記載の方法において、前記光ディスクにアーカイブする前に前記追加セグメントから前記メタデータを除去するステップを有する方法。
【請求項５】
ＨＤＤ及びＯＤＤを有するデータ処理システムであって、光ディスクにコンテンツをアーカイブすることを、前記光ディスクのフォーマット規格に従って多重化された態様で前記コンテンツのセグメントをＨＤＤに記録することにより可能にするシステム。
【請求項６】
請求項５に記載のシステムにおいて、前記ＨＤＤに記録するときにＮａｖＰａｃｋのために追加セグメントを確保するように動作可能なシステム。
【請求項７】
請求項６に記載のシステムにおいて、前記ＨＤＤに記録する前にメタデータを前記コンテンツから抽出し、前記追加セグメントを使用して前記メタデータを記憶するように動作可能なシステム。
【請求項８】
請求項７に記載のシステムにおいて、前記光ディスクに前記コンテンツをアーカイブする前に前記追加のセグメントから前記メタデータを除去するように動作可能なシステム。
【請求項９】
ＰＣである請求項５に記載のシステム。
【請求項１０】
ＣＥ装置である請求項５に記載のシステム。
【請求項１１】
光ディスクにコンテンツをアーカイブすることを可能にするためのＨＤＤ及びＯＤＤを有するデータ処理システムにインストールされるソフトウェアであって、前記光ディスクのフォーマット規格に従って多重化された態様で前記コンテンツのセグメントを前記ＨＤＤに記録することを可能にするように動作可能なソフトウェア。
【請求項１２】
請求項１１に記載のソフトウェアにおいて、ＮａｖＰａｃｋのために前記ＨＤＤに追加セグメントを確保するように動作可能なソフトウェア。
【請求項１３】
請求項１２に記載のソフトウェアにおいて、前記ＨＤＤに記録する前にメタデータを前記コンテンツから抽出し、前記メタデータを前記追加のセグメントに記憶するように動作可能なソフトウェア。
【請求項１４】
請求項１３に記載のソフトウェアにおいて、前記光ディスクにアーカイブする前に前記追加のセグメントから前記メタデータを除去するように動作可能なソフトウェア。
【発明の詳細な説明】
【技術分野】
【０００１】
本発明は、ＨＤＤから光ディスク（ＯＤ）（例えばＤＶＤ）にコンテンツを書き込むためのシステム、方法及びソフトウェアに関する。
【背景技術】
【０００２】
ＭＰＥＧフォーマットで光ディスク（例えばＤＶＤ）に記録されたコンテンツ情報（例えばオーディオ、ビデオ）は、タイトル、プログラムチェーン（ＰＧＣ）、プログラム及びビデオオブジェクトユニット（ＶＯＢＵ）に階層的に構成される。コンテンツ情報のこの階層的な構成は、記録されたコンテンツ情報の全体に亘って、ユーザナビゲーション、例えば、１つの場面から他の場面にジャンプすること、特定の場面をサーチすること、早送り及び巻戻し等のトリックプレーモード、マルチアングルビュー、ペアレンタルコントロール等をサポートする。これに対し、ＨＤＤに記録されているコンテンツ情報は、別個のファイルに収容されるナビゲーションデータ（これもＨＤＤに記録されている）を伴う。再生時間に、このファイルは、システムのＲＡＭにロードされる。
【０００３】
ＤＶＤ規格によれば、各タイトルは、１つ又は複数のＰＧＣを含む。各ＰＧＣは、ポインタからセルへの順序付けられたコレクション（ordered collections）である１つ又は複数のプログラムを含む。各セルは、１つ又は複数のＶＯＢＵを含む。ＤＶＤのタイトルの例は、主機能である映画、その映画に出演している俳優とのインタビュー、映画のテーマの背景を提供するドキュメンタリー等である。このときＰＧＣは、一般的に、映画の場面、特定の俳優とのインタビュー、背景情報の一部としての歴史的な記録のリール等のエンティティである。ＶＯＢＵは、０．４秒から１秒の再生時間を表す。各ＶＯＢＵはNavigation Pack（ＮａｖＰａｃｋ）で開始し、ビデオ、オーディオ及び時分割多重化された形態のデータパケットを含む幾つかの画像のグループ（ＧＯＰ）が続く。ＶＯＢＵは、ＭＰＥＧデコーダによって解釈して処理されることができるエンティティである。
【０００４】
幾つかの家庭用電化製品（ＣＥ）製造業者は、ハードディスクドライブ（ＨＤＤ）を（例えばリライタブルＤＶＤのための）光ディスクドライブ（ＯＤＤ）と組み合わせるビデオレコーダを市場に出している。後者のタイプは、一般的に、ＨＤＤ−ＤＶＤコンビネーションボックス又は略して「ｃｏｍｂｉ」と呼ばれる。このときこのようなｃｏｍｂｉは、ＯＤによって提供されるアーカイブ機能によって改良されたＨＤＤベースのビデオレコーダ（別名パーソナルビデオレコーダ（ＰＶＲ））を表す。更に、典型的な最新のＰＣは、ＨＤＤ、ＣＤドライブ及びＤＶＤドライブを有し、好適にはＣＤ及びＤＶＤ複製装備を備える。ここでも、ＤＶＤ＋ＲＷは、ＨＤＤで記録されたオーディオ／ビデオコンテンツをアーカイブするために用いられることができる。
【発明の開示】
【発明が解決しようとする課題】
【０００５】
本発明者は、ＨＤＤ記録の最中に非常に小さいオーバーヘッドを払うことによって、ＨＤＤからＯＤへのＯＤアーカイブが、迅速化され容易化されることに気付いた。ＯＤ上のコンテンツは、光ディスクのためのフォーマット規格に従わなければならない。ＯＤのフォーマット要件に従うためには、ＮａｖＰａｃｋが、各ＶＯＢＵで必要である。ＨＤＤからＯＤへの従来型のアーカイブは、データをＯＤへの書込みのために適切にフォーマットさせるためには、ＨＤＤデータが復号され、次に再度符合化され、そして多重化されることを必要とする。これらの追加のステップは、時間がかかり、処理能力を必要とし、加えて、ＯＤにアーカイブされるコンテンツの最終的な質に影響を及ぼす。
【課題を解決するための手段】
【０００６】
本発明は、ＨＤＤに記録されたコンテンツ情報を、時間効率が良く資源効率が良い態様で光ディスクに書き込み又はアーカイブするための方法及びシステムであって、従来のトランスコーディングよりも速く、ＨＤＤに記録されたコンテンツの質を維持するものを提供する。
【０００７】
より詳細には、本発明は、コンテンツを光ディスクにアーカイブすることを可能にする方法に関する。本方法は、光ディスクのフォーマット規格に従って多重化された態様でコンテンツのセグメントをＨＤＤに記録することを可能にするステップと、ＮａｖＰａｃｋのために追加セグメントを確保するステップとを有する。好適には、本方法は、ＨＤＤに記録する前にコンテンツからメタデータを抽出するステップと、追加セグメントを使用してメタデータを記憶するステップとを有する。次にメタデータは、光ディスクにアーカイブする前に追加セグメントから除去される。要するに、本発明において、ＨＤＤに記録されたデータは、既に、部分的に、ＯＤに後ほどアーカイブされるデータのフォーマットに従っている。コンテンツデータは、光ディスクデータのためのオーディオ／ビデオバッファモデルに既に従っているので、再符号化無しに、また、多重分離及び再多重化無しに、複製される。光ディスクのフォーマット要件に従うためには、ＮａｖＰａｃｋが各ＶＯＢＵで必要である。他方では、ＨＤＤは、異なったナビゲーション手順を使用する。本発明によれば、空のセグメントが、各ＶＯＢＵの初めに、ＨＤＤで記録される。このときこのセグメントは、光ディスクへの実際のアーカイブの前に、更に後に必要とされるメタデータを記憶するために一時的に用いられる。光ディスクに対する書込みの間、空のセグメントは、正しいＮａｖＰａｃｋとして満たされることになる。ＨＤＤにおける記録の間、セグメントは、光ディスクのセル識別子が知られていなければ、満たされることができない。
【発明を実施するための最良の形態】
【０００８】
本発明は、例示により添付の図面を参照して更に詳細に説明される。
【０００９】
図を通して、同じ参照番号は、類似した又は対応する特徴を示す。
【００１０】
図１は、本発明のシステム１００のブロック図である。システム１００は、オーディオ／ビデオコンテンツをＨＤＤ  １０４に記録することを可能にする記録部分１０２を有する。システム１００は、更に、ＨＤＤ  １０４に記録されたコンテンツをＯＤ  １０８にアーカイブするためのアーカイブ部分１０６を有する。本発明は、高速アーカイブを可能にする方法に関する。記録段で、復号及びその後の符号化無しに、そして、アーカイブ段において多重化すること無しに、アーカイブすることを可能にするためには、非常に小さいオーバーヘッドが必要とされる。更に好ましいことに、記録されたコンテンツの質は保存される。
【００１１】
記録部分１０２は、入力段（ＩＮ）１１０、エンコーダ−マルチプレクサ（ＥＭＸ）１１２、ハードディスクマルチプレクサ（ＨＤＭＸ）１１４、ハードディスクマネージャレコーディング（ＨＤＭＲ）１１６及びコントローラ１１８を有する。
【００１２】
入力段１１０は、コンテンツを、例えば、アナログ又はデジタルＴＶ放送信号、アナログカムコーダ信号、ＤＶカムコーダからのデジタルビデオ信号としての入力信号として受信する。段１１０は、アナログ信号をフィルタリングして、それをデジタル化するか、又は、受信されたデジタル信号を他の処理のため均一なデジタル信号に変換する。段１１０は、更に、入力信号の属性、例えば、そのフォーマット（ＰＡＬ／ＮＴＳＣ等）、ＷＳＳ（ＰＡＬ又はＮＴＳＣのためのワイドスクリーン信号情報）、コピー防止特性等を決定し、この属性情報を持つメタデータを生成する。
【００１３】
ＥＭＸ  １１２は、ＩＮ段１１０からデジタルコンテンツデータ及びメタデータを受信する。ＥＭＸ  １１２は、符合化及び多重化動作を実行する。ＥＭＸ  １１２は、非圧縮フォーマットから圧縮フォーマットに、例えばＭＰＥＧに、コンテンツデータを符合化する。ＭＰＥＧ符号化において、データは２ＫＢのユニット（「セグメント」と呼ばれる）で記録される。以下のセグメントの種類が存在する：ビデオセグメント、オーディオセグメント、ＮａｖＰａｃｋセグメント、サブピクチャセグメント及びリカバリセグメント。ビデオセグメントは、ビデオデータを持っている。オーディオセグメントは、オーディオデータを持っている。Ｎａｖｐａｃｋセグメントは、従来型のＨＤＤ記録のためには必要とされないが、ＤＶＤアプリケーションには必須である、ナビゲーションデータを持っている。サブピクチャセグメントは、オプショナルであり、再生の最中にオーバーレイとしてレンダリングされるための、例えば、字幕及び、記録の日時等のユーザ特定情報を表すために、用いられることができる。リカバリセグメントは、メタデータを記憶するために用いられることができる。
【００１４】
リカバリセグメントに関しては、これらをデータストリームに加えるための幾つかのオプションがある。１つの態様は、ＥＭＸ  １１２がビットレートに関係なくリカバリセグメントを加えるというものである。結果として、これらのリカバリセグメントは、ＯＤ  １０８にアーカイブする前にデータストリームから除去されなければならない。その理由は、ＯＤに関する規格（例えばＤＶＤ規格）が読取り及び復号のためのビットレートに、高い要求を課すということである。他の態様は、ＥＭＸ  １１２がビットレートに依存してリカバリセグメントを加えるというものである。このときこれらのリカバリセグメントは、ＯＤ  １０８に他のデータと共にアーカイブされ、これは、ＯＤ  １０８の追加の記憶容量を必要とする。更に他の態様は、ＨＤＭＸ  １１４に、ビットレートを考慮せずにリカバリセグメントを加えさせることである。このことは、ＥＭＸ  １１２がビットレートを考慮せずにこれを行うのと同じ効果がある。
【００１５】
ＮａｖＰａｃｋｓに関しては、以下のシナリオが存在する。第１のシナリオは、ＨＤＤ  １０４の記憶容量を節約するために、ＥＭＸ  １１２がＮａｖＰａｃｋｓをストリームに入れないというものである。第２のシナリオは、ＥＭＸ  １１２がＮａｖｐａｃｋｓをストリームに入れ、そして、ＨＤＤ記憶容量を節約するために、ＨＤＭＸ  １１４がまたこれらを除去するということである。本発明において好適な第３のシナリオは、ＥＭＸ  １１２がＮａｖＰａｃｋｓをストリームに入れ、そして、ＨＤＭＸがこれらを除去せず、随意にこれらをリカバリセグメントとして使用するというものである。
【００１６】
本発明によれば、ＥＭＸ  １１２は、ビデオセグメント、オーディオセグメント及び（空の）ＮａｖＰａｃｋセグメントを多重化して、これらをＤＶＤ及びＤＶＤ＋ＲＷ規格によって定められるような順序に構成する。換言すれば、ＥＭＸ  １１２はＶＯＢＵフォーマットのデータパケットを作成する（図２を参照）。上記のように、各ＶＯＢＵはＮａｖＰａｃｋで開始して、１つ又は複数のＧＯＰがこれに続き、ＧＯＰは、ビデオ、オーディオ及び時分割多重化された形態のデータパケットを含む。本発明のＥＭＸ  １１２は、２ＫＢのＮａｖＰａｃｋｓによって占められるストリームのビットサイズ及び位置を考慮する。ＤＶＤ規格は、読取り及び復号のためのビットレートに、高い要求を与える。この段階でＮａｖＰａｃｋｓのための空間及び位置を確保することによって、高速アーカイブが達成されることになる。
【００１７】
随意に、ＥＭＸ  １１２は、ＩＮ段１１０からのメタデータと組み合わせられる追加のメタデータを発生させる。
【００１８】
ＨＤＭＸ  １１４は、ＥＭＸ  １１２からＭＰＥＧデータセグメント及びメタデータのストリームを受信する。ＨＤＭＸ  １１４は、リカバリセグメントを加えるか、又は、ＥＭＸ  １１２によって挿入された空のセグメントをリカバリセグメントとして使用し、メタデータをリカバリセグメントに書き込む。リカバリセグメントの周波数は、メタデータのサイズに依存する。加えて、リカバリセグメントを種々の態様で分散させることができる。例えば、リカバリセグメントは、周期的に、例えば、整数Ｎ個の他のセグメントの後に発生することができる。代替的に、リカバリセグメントはＶＯＢＵに結合され、これは、後ほどタイトルの分割の際に効果がある。例えば、各ＶＯＢＵは個々のリカバリセグメントを割り当てられることができ、又は、リカバリセグメントはＫ個のＶＯＢＵの群に割り当てられ、ここでＫは、例えば３に等しい整数である。この後者の変形例は、ＨＤＤ  １０４の記憶容量の効率的な使用という結果を生じる。
【００１９】
ＨＤＭＸ  １１４は、更に、ＨＤＤ  １０４からのコンテンツの再生のために必要とされる全てのナビゲーションデータをコントローラ１１６に転送する。
【００２０】
ＨＤＭＲ  １１８は、ＨＤＭＸ  １１４から、満たされたリカバリセグメント（随意にメタデータを伴う）を有するＭＰＥＧデータセグメントを受信する。ＨＤＭＲ  １１８は、ＨＤＤ  １０４へのＭＰＥＧデータの記録を制御して、メタデータを除外する。
【００２１】
アーカイブ部分１０６は、ハードディスクマネージャ再生ユニット（ＨＤＭＰ）１２０、ハードディスクデマルチプレクサ（ＨＤＤＸ）１２２、ＤＶＤ＋ＲＷマルチプレクサ（ＲＷＭＸ）１２４及びＯＤマネージャ記録ユニット（ＯＤＭＲ）１２６を有する。
【００２２】
ＨＤＭＰ  １２０は、アーカイブされるべきＨＤＤ  １０４に記録されるＭＰＥＧデータを読み取る。
【００２３】
ＨＤＤＸ  １２２は、ＨＤＭＰ  １２０からＭＰＥＧデータを受信して、ＨＤＭＸ  １１４がリカバリセグメントに入れたメタデータに基づいてメタデータを復元する。ＨＤＤＸ  １２２は、ＤＶＤ＋ＲＷのビットレート要件に従うことができるようにするために、データストリームからリカバリセグメントを除去して、各ＶＯＢＵの最初にＮａｖＰａｃｋセグメントを加える（これがまだ行われていない場合。上記のＮａｖＰａｃｋシナリオオプションを参照。）。次にＨＤＤＸ  １２２は、ＲＷＭＸ  １２４にＭＰＥＧデータセグメント及びメタデータを転送する。
【００２４】
ＲＷＭＸ  １２４は、ＤＶＤ＋ＲＷ規格に従ってＮａｖＰａｃｋセグメントを満たす。ＲＷＭＸ  １２４は、将来のＶＯＢＵに関するディスクセクタ数に関連する順方向参照ポインタを計算するために、ＤＶＤ＋ＲＷ規格によって定められる約３秒の再生時間に等しい数のＶＯＢＵをバッファする。逆方向参照ポインタは、全て、満たされることができる。ＲＷＭＸ  １２４は、更に、属性情報（上記参照）をメタデータから取得されるＮａｖＰａｃｋｓに入れる。従って、ＲＷＭＸ  １２４は、ＯＤＭＲ  １２６にＤＶＤ＋ＲＷ互換ＭＰＥＧストリームを提供する。
【００２５】
ＯＤＭＲ  １２６は、別個のメタデータ無しに、ＯＤ  １０８上のＭＰＥＧストリームの記録を制御する。当然、ＯＤ  １０８の目次は、アーカイブされたアイテムごとに又はバッチごとに、追加の記録の結果として更新されることを必要とする。
【００２６】
機能１１２〜１２６は、純粋にハードウェア若しくはソフトウェアにおいて、又は、ソフトウェア及びハードウェアの組合せにおいて実現されることができる。ソフトウェア実現は、ソフトウェアを適切なプラットフォーム（例えばＰＣ又はコンビボックス等のＣＥ装置）にインストールすることによって実現されることができる。
【００２７】
本発明の実施例においては、記録部分１０２及びアーカイブ部分１０４は、ＰＣ又はＣＥ装置（例えば上記で紹介されたコンビボックス）に収容される。他の実施例において、部分１０２及び１０４は、物理的に分離した、例えばホームネットワーク又は商用データネットワークに分散された、エンティティである。後者に関しては、サービスプロバイダが、トランスコードすることを必要とするため質が損なわれる従来型の態様で、又は、高速アーカイブの準備としての本発明の態様で、カスタマーに、ローカルでコンテンツを記録させるオプションを提供する。前述のように、本発明は、質を維持して、アーカイブを促進する。
【００２８】
図２はＶＯＢＵ  ２００の構成を、１つ又は複数のＧＯＰ２０４が続くＮａｖＰａｃｋセグメント２０２の連続接続として示し、ＧＯＰのうちの１つが図示される。ＧＯＰ  ２０４は、ビデオセグメント２０６、２０８、２１０、２１２、２１４…及びその間に挿入されたオーディオセグメント２１６、２１８…を有する。
【００２９】
以下の特許文献は、上記の発明及びその利用領域を理解するのに関連のある状況を与え、参照によってここに組み込まれる。
【００３０】
Martin Freeman及びUzi Bar-Gaddaの米国特許第６，０７０，２２６号（整理番号ＰＨＡ  ２３，１８３）「MAGNETIC DISK DRIVE PHYSICALLY INTEGRATED WITH OPTICAL DISK DRIVE IN STORAGE HIERARCHY」は、階層的なメモリを有するデータ処理システムを開示する。階層メモリは、複数のメモリユニットを有するメモリモジュールを有する。メモリユニットのそれぞれは、階層メモリの階層のそれぞれのレベルを表す。メモリユニットのそれぞれは、階層メモリの階層中で次に高いレベルの特定のメモリユニットと物理的に統合される。メモリユニットには、光ディスクドライブ及び磁気ディスクドライブがある。磁気ディスクドライブは、光ディスクドライブと物理的に統合され、光ディスクドライブのためのリードキャッシュとして働く。この構成は、待ち時間を低減し、例えばＣＥアプリケーションのためのコンパクトなデータ処理システムを構築することを可能にする。
【００３１】
２０００年３月８日に出願されたGeert Bruynsteenの米国特許出願第０９／５２１，０５１号（整理番号ＵＳ００００５２）「BUSINESS MODEL FOR LEASING STORAGE SPACE ON A DIGITAL RECORDER」（ＰＣＴで国際出願ＷＯ０１６７７４３として公開された）。この特許文献は、ＣＥデバイス上の固定されたＨＤＤの記憶空間の利用可能な量をデータネットワークを介して調整することに関する。コンシューマは、ＨＤＤの設定を遠隔制御する第三者サービスを介して装置をアップグレードすることができる。
【００３２】
２０００年３月６日に出願されたErik Ekkel他の米国特許出願第０９／５１９，５４６号（整理番号ＵＳ００００１４）「PERSONALIZING CE EQUIPMENT CONFIGURATION AT SERVER VIA WEB- ENABLED DEVICE」（ＰＣＴで国際出願ＷＯ０１５４４０６として、修正された発明の名称「METHOD OF CONFIGURING A CONSUMER ELECTRONICS APPARATUS」で公開された）がある。この文書は、コンシューマによるＣＥ装置のコンフィギュレーションに関する。コンフィギュレーションのセットアップは、インターネット上のアプリケーションサーバにコンフィギュレーションを委任することによって容易にされる。コンシューマは、インターネットが可能な装置の適切なユーザインタフェース（例えばＰＣ又はセットトップボックス又はデジタル携帯電話）を通じて特定の対話式ウェブページに自分の嗜好を入力する。アプリケーションサーバは、入力された嗜好に基づいてコントロールデータを発生させて、該コントロールデータを、ＣＥ装置自身に又はインターネットが可能な装置にダウンロードする。
【００３３】
１９９８年１１月１０日に出願されたEugene Shteynの米国特許出願第０９／１８９，５３５号（整理番号ＰＲＡ  ２３，５２７）「UPGRADING OF SYNERGETIC ASPECTS OF HOME NETWORKS」（ＰＣＴで国際出願ＷＯ００２８４３６として公開された）。この文書は、装置のインベントリ及びユーザのホームネットワーク上の機能にアクセスするサーバに関する。インベントリは、例えば、ＨＡＶｉ又はＪｉｎｉアーキテクチャによって提供されるルックアップサービスである。サーバは、更に、ネットワークのための機能の情報を有するデータベースにアクセスすることができる。サーバは、インベントリのリスト及びユーザのプロファイルに基づいてユーザのネットワークに存在する装置のシナジーが改良されることができるか決定する。シナジーにとって重要な機能があるならば、これらの基準に基づいて、ユーザに通知がされる。
【００３４】
２００２年４月２３日に発行されたJohan Auwens及びRobert Brondijkの米国特許第６，３７７，５１８号（整理番号ＰＨＮ１７，１７２）「METHOD AND DEVICE FOR RECORDING REAL-TIME INFORMATION」。この文書は、標準化されたプレーヤで再生可能にするために記録フォーマット（例えばＤＶＤ−ビデオ）に従ってビデオ情報を構成することに関する。ビデオ情報はセルに細分化され、セルのシーケンスを再現するための再生パラメータは制御情報に含まれる。フォーマットは、記録領域の中で、制御情報が、記録されたビデオの再生機能のためのビデオ情報に先行することを定める。しかし、ホームレコーディングにおいては、記録がワンパスで行われることは、即ち、ビデオが直接その最終位置で記録されることは、好ましい。従って、レコーダは、以下のステップを実行するための制御ユニットを有する：記録領域の中で記録領域の最初とは異なった開始位置を選択することによって、自由領域を最初に生じ、その後、開始位置からリアルタイム情報を記録して、前記自由領域に制御情報を記録する。
【００３５】
２００２年９月１９日に公開されたJohan Auwens及びRobert Brondijkの米国特許出願公開第２００２０１３１７６７号（整理番号ＰＨＮ１７，１７２）「METHOD AND DEVICE FOR RECORDING REAL-TIME INFORMATION」。この文書は、記録担体（例えば光ディスク）にビデオを記録するための方法及び装置に関する。情報は、標準化されたプレーヤにおいて再生可能であるように記録フォーマット（例えばＤＶＤ−ビデオ）に従って構成される。ビデオ情報はセルに細分化され、セルのシーケンスを再現するための再生パラメータは制御情報に含まれる。フォーマットは、記録領域の中で、制御情報が、記録されたビデオの再生機能のためのビデオ情報に先行することを定める。しかし、ホームレコーディングにおいては、記録がワンパスで行われることは、即ち、ビデオが直接その最終的な位置で記録されることは、好ましい。従って、レコーダは、以下のステップを実行するための制御ユニットを有する：記録領域の中で記録領域の最初とは異なった開始位置を選択することによって、自由領域を最初に生じ、その後、開始位置からリアルタイム情報を記録して、前記自由領域に制御情報を記録する。
【図面の簡単な説明】
【００３６】
【図１】本発明のシステムのブロック図である。
【図２】ＶＯＢＵを示す図である。
【図１】
2006521657.tif 000003
【図２】
2006521657.tif 000004
【国際調査報告】
2006521657.tif 000005
2006521657.tif 000006